(57)【特許請求の範囲】
【請求項１】
固定される側に配置される第一部材と、脱着される側に配置される第二部材とからなる固定構造であって、
上記第一部材は、表側開口端を挿入口としつつ、裏側開口端には表側開口端に向かって形成される切り欠きを有する略円形穴部材を具備し、
上記第二部材は、
上記円形穴部材に挿入可能な円筒状で先端側を先割れ形状とした軸部と、
この軸部の先端外周にて上記切り欠き内に進入可能であって、挿入方向反対側に面する第一の抜け止め用当接面と、回転方向反対側に面する第二の抜け止め用当接面と、挿入方向および回転方向に面する誘導用傾斜面とから構成され上記軸部の径方向外側に頂点を有する略三角錘状に形成されるとともに、上記誘導用傾斜面は挿入方向に対面する直線状の辺と回転方向に対面する直線状の辺から上記頂点に向けて隆起する形状とされた係合突起と、
上記軸部を支持して回転させるつまみとを具備することを特徴とする固定構造。
【発明の詳細な説明】
【０００１】
【発明の属する技術分野】
本発明は、簡易に着脱可能とする固定構造に関する。
【０００２】
【従来の技術】
従来、パチンコ遊技機に使用されるこの種の固定構造として、図１６および図１７に示すものが知られている。
同図に示す固定構造においては、可動片１を固定側部材２に対して回転可能に支持しておき、当該可動片１を回転させると端部１ａが円弧を描いて変位し、同端部１ａと固定側部材２との間に保持部材３の縁部３ａを挟み込んで固定する。
【０００３】
また、外すときには可動片１を反対方向に回転させることにより同端部１ａが保持部材３の縁部３ａから離れ、同保持部材３は開放される。
【０００４】
【発明が解決しようとする課題】
上述した従来の固定構造においては、装着前に可動片１を固定側部材２に組み付けておく作業と、保持部材３の装着時に可動片１を回転させる作業とが必要になるが、これらの作業をできる限り減らしたいという希望があった。
【０００５】
本発明は、上記課題にかんがみてなされたもので、組付工数を低減させることが可能な固定構造の提供を目的とする。
【０００６】
【課題を解決するための手段】
上記目的を達成するため、請求項１にかかる発明は、固定される側に配置される第一部材と、脱着される側に配置される第二部材とからなる固定構造であって、上記第一部材は、表側開口端を挿入口としつつ、裏側開口端には表側開口端に向かって形成される切り欠きを有する略円形穴部材を具備し、上記第二部材は、上記円形穴部材に挿入可能な円筒状で先端側を先割れ形状とした軸部と、この軸部の先端外周にて上記切り欠き内に進入可能であって、挿入方向反対側に面する第一の抜け止め用当接面と、回転方向反対側に面する第二の抜け止め用当接面と、挿入方向および回転方向に面する誘導用傾斜面とから構成され上記軸部の径方向外側に頂点を有する略三角錘状に形成されるとともに、上記誘導用傾斜面は挿入方向に対面する直線状の辺と回転方向に対面する直線状の辺から上記頂点に向けて隆起する形状とされた係合突起と、
上記軸部を支持して回転させるつまみとを具備する構成としてある。
【０００７】
上記のように構成した請求項１にかかる発明においては、上記第一部材として略円形穴部材を具備しており、この略円形穴部材は、表側開口端を挿入口としつつ、裏側開口端には表側開口端に向かって切り欠きを形成してある。すなわち、表側から裏側に掛けて筒部材があるとして、その裏側開口端に切り欠きが形成されている。一方、上記第二部材は、主として軸部とつまみとから構成されており、この軸部は第一部材としての略円形穴部材に挿入可能な円筒状に形成されている。ここで、軸部の先端外周には係合突起が突出されているが、軸部は円筒状とした先端側を先割れ形状とされているので内側に撓み動作可能であるし、さらに同係合突起は軸部の挿入方向側に誘導用傾斜面を有しているので、軸部を略円形穴部材に押し込めば自然に内側に撓み込む。軸部を押し込んでいったとき、上記係合突起は上記第一部材における裏側の開口端付近に形成された切り欠き内に進入するが、この係合突起における挿入方向反対側は抜け止め用当接面となっているので、以後、単につまみを引っ張るだけではこの当接面が切り欠きの縁部に当接し、容易には引き抜けなくなる。
すなわち、第二部材は第一部材内に押し込むだけで固定される。一方、第一部材や第二部材は基本形状が円形であり、相対的に回転可能である。ここでつまみを介して軸部を回転させると、上記係合突起が当該軸部の回転方向には誘導用傾斜面を有しているので、切り欠きの縁部に突き当たりながら内側に潜り込む。すると、係合突起自体の当接面は切り欠きの縁部から外れることになり、この時点でつまみを引けば軸部も略円形穴部材から引き出される。なお、第一部材や第二部材は合成樹脂にて容易に形成可能である。また、切り込みや係合突起は一つでもよいし複数でも良く、保持力に応じて適宜調整すればよい。また、等間隔に複数設けると、係合可能な位置が増え、操作性を向上させることにもなる。
【０００８】
このような第二部材の略円形穴部材と第一部材の軸部は相対的に回転動作できるようなものであればよい。極端な例では、第一部材は正方形の穴であり、第二部材はこれに挿入可能な円筒でもよい。敢えて略円形穴部材と呼ぶのはかかる変形例も含むものである。
また、第一部材は軸部とつまみとを備えているほか、保持すべき部材との関係で適宜変更可能であることはいうまでもない。例えば、保持部材に対して第二部材を回転可能に組み付けておいても良いし、第二部材にフランジ片を形成しておいて、このフランジ片で保持部材を第一部材の側との間に挟み込むようにしても良い。
【０００９】
むろん係合部材の数は適宜変更可能であるし、取り外すときには時計周り方向へ回転させるようにしておくと、右利きの人間にとっては操作しやすくなる。ただ、通常、ネジを緩める方向は反時計周り方向であるから、この基準に合わせてあたかもネジを緩めるように回転させてから引き抜く操作としても良い。また、係合突起については必ずしも抜け止め用当接面を形成しなければならないわけではなく、山形の両傾斜面を誘導用傾斜面とし、いずれの方向に回転させても解除できるようにしてもよい。
第二部材は、先割れ形状としているが、係合突起が略円形穴部材の開口部分と干渉する際に内側に撓める程度の割れ形状としてあれば良く、先端のみならず、より根本側に延長されていても良い。
【００１０】
【発明の効果】
以上説明したように本発明は、装着作業時に押し込むというだけで係合固定できるため、極めて作業工数を低減することが可能な固定構造を提供することができる。
また、かかる固定構造は全体を合成樹脂で製造することができ、特に金属部材を必要としない。この点、パチンコ遊技台は産業廃棄物として廃棄されることが多く、合成樹脂が多用されている。従って廃棄する際には金属部材と合成樹脂部材などとを分離しなければならない。しかるに、本発明の固定構造であれば金属部材を要しないため、かかる分離作業を必要とせず、作業効率を向上させることができる。むろん、パチンコ遊技台に限られず、固定が必要な分野において広く利用可能である。
【００１１】
【発明の実施の形態】
以下、図面にもとづいて本発明の実施形態を説明する。
図１は、本発明の一実施形態にかかる固定構造を斜視図により示している。
【００１２】
同図において、固定側の基台１０には円形穴１１が形成され、この円形穴１１が第一部材を構成する。この基台１０に対して板片２０を固定するためにロック片３０が使用され、このロック片３０が第二部材を構成する。なお、板片２０には貫通孔２１が形成されており、ロック片３０の軸部３１を貫通させつつフランジ３２にて基台１０との間に同板片２０を挟み込むようになっているとともに、回転操作や引き抜き操作が容易となるようにつまみ３３を形成してある。なお、このつまみ３３に合わせて板片２０における貫通孔２１の周縁部分だけを薄めにした段部２２が形成されており、つまみ３３の座りが良くなるようになっている。
【００１３】
図２は円形穴１１の図１におけるII−II線矢視断面とこれに対応するロック片３０を示しており、図３は同様に円形穴１１の図１におけるIII−III線矢視断面とこれに対応するロック片３０を示している。また、図４は同円形穴１１を裏面から見た状態を示している。円形穴１１は基台１０の一部として形成された円筒形状部分であり、内周面の頂上面近辺と底面近辺には長さ方向に向けて溝部１２，１２を形成してある。また、各溝部１２，１２における裏側の端部部分は円筒壁面をカットしてあり、この意味で切り欠き部１３，１３となっている。なお、溝部１２，１２を設けることにより、後述するロック片３０の撓み量を少なくする効果があるし、挿入側の開口端から切り欠き部１３の位置が分かり、案内しやすくなる。
【００１４】
一方、図５および図６はロック片３０を正面側からと背面側から見た図を示しており、図２と図３、および図５と図６に示すようにロック片３０の軸部３１は上記円形穴１１に挿入可能な円筒状に形成されているとともに、かつ、その先端側はほぼ均等に四つに割れている。そして、相対向する二つの先割れ片３１ａ，３１ａにおける先端側外周面には係合突起３４，３４が形成されている。この係合突起３４，３４は二方向に対する楔形形状となっている。図３に示すように、第一の楔形状としては、ロック片３０の挿入方向を基準とすると、挿入方向側に鋭角（θ１）となって誘導用傾斜面となるとともに、挿入方向反対側に鈍角（θ２）となって抜け止め用当接面となる傾斜面が形成されている。また、第二の楔形状としては、図７に示すように、軸部３１の断面を基準として反時計周り方向側に向かって鋭角（θ３）となって誘導用傾斜面となるとともに時計周り方向側に向かって鈍角（θ４）となって抜け止め用当接面となる傾斜面が形成されている。なお、係合突起３４の数は負荷に応じて適宜増減可能である。また、鈍角の側の抜け止め用当接面に代えて鋭角の誘導用傾斜面とすれば双方向に回転可能となる。
【００１５】
このような二方向に対する楔形状としているのは、挿入時にワンタッチで係合され、回転させるだけでワンタッチで係合が解除されるという利便性を確保するためであり、以下、上記構成からなる本実施形態の固定構造について係合動作と解除動作とを説明する。
ロック片３０の挿入経過を図８〜図１０に示している。基台１０の円形穴１１に対して板片２０の貫通孔２１を位置合わせしながら重ね合わせ、ロック片３０の軸部３１の先端を同貫通孔２１に対面させ、係合突起３４，３４が円形穴１１の内周面に形成した溝部１２，１２に沿って挿入できるようにする（図８）。本実施形態においては、係合突起３４，３４が上下に一つずつ形成されており、方向がずれていても少なくとも左右に９０度回転させる程度でよい。
そのまま、軸部３１を貫通孔２１内に挿入し始めると、係合突起３４，３４は円形穴１１の溝部１２，１２に沿って進入していく。なお、係合突起３４，３４は挿入方向前方側に向かって鋭角となる傾斜面を形成してあるとともに、軸部３１自体が先割れ片３１ａとなっているので、容易に内側に撓み込んでいく（図９）。そして、ロック片３０が完全に円形穴１１内に挿入されると、係合突起３４，３４は溝部１２，１２の端部に形成されている切り欠き部１３，１３に入り込んで、外側に広がる。係合突起３４における挿入方向反対側の傾斜面は鈍角となっているため、切り欠き部１３，１３の縁部に対して突き当たるように対面することになり、ロック片３０を手前側に引き抜こうとしても簡単には抜けなくなる。また、この状態でフランジ３２は板片２０の貫通孔２１よりも大径としてあるので、このフランジ３２と基台１０との間に板片２０は挟み込まれ、支持されることになる（図１０）。
【００１６】
一方、板片２０を取り外したい場合もあり、この場合のロック片３０の解除動作を図１１〜図１４に示している。図１１はロック片３０が係合状態にあるときに基台１０を背面側から見た状態を示しており、図１２は同基台１０を表面側から見た状態を示している。係合突起３４，３４は溝部１２，１２に沿って挿入され、切り欠き部１３，１３に対面した状態で外方に広がって係合している状態が分かる。
【００１７】
ここで、ロック片３０を表側から見て時計周り方向に回転させると、係合突起３４，３４における回転方向の傾斜が時計周り方向に対して鋭角となるとともに反対方向に対して鈍角となっているため、ロック片３０の時計周り方向の回転操作によって容易に内側に撓み込むことになる。係合突起３４，３４が切り欠き部１３，１３を外れて円形穴１１の内周内に入り込むと、ロック片３０を引き抜き方向に阻止するものはなくなるため、容易に引き抜けることになる。
【００１８】
すなわち、係合時には押し込むだけであり、解除時にはわずかにひねってから引き抜くだけの極めて簡単な操作となる。むろん、組付前に装着しておく必要もない。
なお、上記実施形態においては、係合突起３４が二つの例について示しているが、これに限られるものではなく、図１５に示すように三つとするなど、適宜増減可能である。このようにして係合突起３４が増えると、係合突起３４を円形穴１１の内周面に形成した溝部１２に対面させるときにわずかに回転させるだけで良くなり、作業性が向上する。
このように、第二部材としてのロック片３０の側では、挿入方向と回転方向との二方向に楔形状とした係合突起３４，３４を軸部３１の外周面に形成するとともに、第一部材としての円形穴１１は略円筒状としつつ裏側端部に上記係合突起３４，３４が入り込める切り欠き部１３，１３を形成しておくことにより、押し込むだけの挿入操作で係合し、わずかにひねるだけの回転操作で係合解除可能となる。
【図面の簡単な説明】
【図１】本発明の一実施形態にかかる固定構造の斜視図である。
【図２】図１におけるII−II線矢視断面図である。
【図３】図１におけるIII−III線矢視断面図である。
【図４】基台の背面図である。
【図５】ロック片の正面図である。
【図６】ロック片の背面図である。
【図７】係合突起の傾斜面形状を示す模式図である。
【図８】係合操作開始時の断面図である。
【図９】係合操作途中の断面図である。
【図１０】係合操作完了時の断面図である。
【図１１】係合操作完了時の背面図である。
【図１２】係合操作完了時の正面図である。
【図１３】解除操作を行ったときの背面図である。
【図１４】解除操作を行ったときの正面図である。
【図１５】変形例にかかる係合操作完了時の背面図である。
【図１６】従来の固定構造を示す斜視図である。
【図１７】同固定構造の拡大分解斜視図である。
【符号の説明】
１０…基台
１１…円形穴
１２…溝部
１３…切り欠き部
２０…板片
２１…貫通孔
３０…ロック片
３１…軸部
３１ａ…先割れ片
３２…フランジ
３３…つまみ
３４…係合突起
【図１】
0003644525.tif 000002
【図２】
0003644525.tif 000003
【図３】
0003644525.tif 000004
【図４】
0003644525.tif 000005
【図５】
0003644525.tif 000006
【図６】
0003644525.tif 000007
【図７】
0003644525.tif 000008
【図８】
0003644525.tif 000009
【図９】
0003644525.tif 000010
【図１０】
0003644525.tif 000011
【図１１】
0003644525.tif 000012
【図１２】
0003644525.tif 000013
【図１３】
0003644525.tif 000014
【図１４】
0003644525.tif 000015
【図１５】
0003644525.tif 000016
【図１６】
0003644525.tif 000017
【図１７】
0003644525.tif 000018